(57)【要約】【課題】入口側回転体の移動によるチェーンの張り具合の低下を防止することができる普通型コンバインを提供することを目的とする。【解決手段】刈り取った作物を搬送するフィーダ４を備え、フィーダ４は、天板１５と底板１６とを有するフィーダケース１１と、フィーダケース１１内の作物入口１１ａ側に設けられ、底板１６に対して天板１５側方向に退避可能に支持される入口側回転体１２と、フィーダケース１１内の作物出口１１ｂ側に設けられる出口側回転体１３と、入口側回転体１２及び出口側回転体１３に巻き付けられるチェーン１４と、チェーン１４の天板側搬送経路に対してチェーン１４の内周部に接触し、チェーン１４に緊張力を付与するテンション回転体３５と、入口側回転体１２を付勢する入口側回転体用付勢機構２７と、テンション回転体３５を付勢するテンション回転体用付勢機構３８と、を備える。【選択図】図２
2013183681.tif 000002
【特許請求の範囲】
【請求項１】
刈り取った作物を搬送するフィーダを備え、
前記フィーダは、
天板と底板とを有するフィーダケースと、
前記フィーダケース内の作物入口側に設けられ、前記底板に対して前記天板側方向に退避可能に支持される入口側回転体と、
前記フィーダケース内の作物出口側に設けられる出口側回転体と、
前記入口側回転体及び前記出口側回転体に巻き付けられるチェーンと、
前記チェーンの天板側搬送経路に対して前記チェーンの内周部に接触し、前記チェーンに緊張力を付与するテンション回転体と、
前記入口側回転体を付勢する入口側回転体用付勢機構と、
前記テンション回転体を付勢するテンション回転体用付勢機構と、を備える普通型コンバイン。
【請求項２】
前記テンション回転体と前記天板との間隔は、前記チェーンの底板側搬送経路と前記底板との間隔よりも大きい請求項１に記載の普通型コンバイン。
【請求項３】
前記テンション回転体用付勢機構は、前記フィーダケースの外側に配置されている請求項１又は請求項２に記載の普通型コンバイン。
【請求項４】
前記テンション回転体用付勢機構は、前記フィーダケースの右側及び左側の両方にそれぞれ備えられている請求項１から請求項３までのいずれか一項に記載の普通型コンバイン。
【請求項５】
前記テンション回転体に付着した付着物を除去するスクレーパーを備える請求項１から請求項４までのいずれか一項に記載の普通型コンバイン。
【請求項６】
前記テンション回転体用付勢機構は、
一端部に前記テンション回転体を回転自在に支持するとともに、他端部が前記フィーダケースに揺動可能に支持されるアーム部材と、
前記アーム部材を前記天板側方向に揺動するように付勢する圧縮バネと、
前記アーム部材について所定位置を越えての前記天板側方向への揺動を制限するロッド部材と、を備える請求項１から請求項５までのいずれか一項に記載の普通型コンバイン。
【請求項７】
前記アーム部材の揺動軸は、側面視において、前記チェーンの内周部内に配置されている請求項６に記載の普通型コンバイン。
【請求項８】
前記アーム部材の揺動軸は、前記テンション回転体の回転軸よりも前記フィーダケースの作物出口側に配置されている請求項６又は請求項７に記載の普通型コンバイン。
【請求項９】
前記アーム部材は、前記フィーダケースの内側に配置されている請求項６から請求項８までのいずれか一項に記載の普通型コンバイン。
【請求項１０】
前記テンション回転体に付着した付着物を除去するスクレーパーを備え、
前記スクレーパーは、前記アーム部材に取り付けられている請求項９に記載の普通型コンバイン。
【請求項１１】
前記テンション回転体は、前記フィーダケースの作物入口側に配置されている請求項１から請求項１０までのいずれか一項に記載の普通型コンバイン。
【請求項１２】
側面視において、前記天板における中途部には、前記底板とは反対側方向に突起する折曲部が形成されている請求項１から請求項１１までのいずれか一項に記載の普通型コンバイン。
【請求項１３】
前記テンション回転体は、前記折曲部よりも前記フィーダケースの作物入口側に配置されている請求項１２に記載の普通型コンバイン。
【請求項１４】
前記テンション回転体用付勢機構は、前記テンション回転体を前記天板側方向に付勢する請求項１から請求項１３までのいずれか一項に記載の普通型コンバイン。
【請求項１５】
側面視において、前記天板における中途部には、前記底板とは反対側方向に突起する折曲部が形成され、
前記天板は、
前記底板と平行な平行部と、
前記フィーダケースの作物出口側に近いほど前記底板との間隔が小さくなるように、前記底板に対して傾斜する傾斜部と、を有し、
前記フィーダの搬送方向において前記折曲部を挟んで、前記フィーダケースの作物入口側に前記平行部が配置され、前記フィーダケースの作物出口側に前記傾斜部が配置され、
前記テンション回転体は、側面視において、前記平行部と前記底板とが成す平行区間に配置されている請求項１２から請求項１４までのいずれか一項に記載の普通型コンバイン。
【請求項１６】
前記入口側回転体用付勢機構は、前記フィーダケースの外側に配置されている請求項１から請求項１５までのいずれか一項に記載の普通型コンバイン。
【請求項１７】
前記入口側回転体用付勢機構は、前記入口側回転体を前記底板側方向に付勢する請求項１から請求項１６までのいずれか一項に記載の普通型コンバイン。
【発明の詳細な説明】
【技術分野】
【０００１】
本発明は、普通型コンバインに関し、より詳細には、刈り取った作物を搬送するフィーダを備える普通型コンバインに関する。
【背景技術】
【０００２】
例えば、特許文献１に記載の普通型コンバインにおいて、フィーダケース（フィーダハウス）内には、入口側回転体（前側軸体）と、出口側回転体（後側軸体）と、両軸体間に巻回された無端状のチェーン（コンベアベルト）が設置されている。前側軸体は、フィーダハウスの側板に形成された挿通穴（穀稈の搬送方向に延びる長穴）の方向に移動させて、位置調整可能に構成されている。これにより、作業者が、前側軸体をフィーダハウスの作物入口側方向又は作物出口側方向に移動させて、前側軸体を作業状態に適した位置に調整することができる。
【先行技術文献】
【特許文献】
【０００３】
【特許文献１】特開２００８−７２９１９号公報
【発明の概要】
【発明が解決しようとする課題】
【０００４】
しかしながら、特許文献１に記載の普通型コンバインでは、前側軸体がフィーダハウスの作物出口側方向に移動すると、コンベアベルトの張り具合が低下する。
【０００５】
本発明は以上の如き状況に鑑みてなされたものであり、入口側回転体の移動によるチェーンの張り具合の低下を防止することができる普通型コンバインを提供することを目的とする。
【課題を解決するための手段】
【０００６】
本発明に係る普通型コンバインの特徴構成は、刈り取った作物を搬送するフィーダを備え、前記フィーダは、天板と底板とを有するフィーダケースと、前記フィーダケース内の作物入口側に設けられ、前記底板に対して前記天板側方向に退避可能に支持される入口側回転体と、前記フィーダケース内の作物出口側に設けられる出口側回転体と、前記入口側回転体及び前記出口側回転体に巻き付けられるチェーンと、前記チェーンの天板側搬送経路に対して前記チェーンの内周部に接触し、前記チェーンに緊張力を付与するテンション回転体と、前記入口側回転体を付勢する入口側回転体用付勢機構と、前記テンション回転体を付勢するテンション回転体用付勢機構と、を備える、ことにある。
【０００７】
本特徴構成によると、入口側回転体が入口側回転体用付勢機構によって付勢されている。このため、入口側回転体が退避した位置から元の位置に素早く復帰する。また、テンション回転体がテンション回転体用付勢機構によって付勢されている。このため、テンション回転体がチェーンに緊張力を確実に付与する。したがって、入口側回転体の移動によるチェーンの張り具合の低下を防止することができる。
【０００８】
本発明に係る普通型コンバインの更なる特徴構成は、前記テンション回転体と前記天板との間隔は、前記チェーンの底板側搬送経路と前記底板との間隔よりも大きい、ことにある。
【０００９】
本特徴構成によると、テンション回転体と天板との間隔が、大きめに設けられている。これにより、テンション回転体が移動しても、テンション回転体がフィーダケースの天板へ衝突し難い。したがって、衝突によるテンション回転体及びフィーダケースの損傷を防止することができる。
【００１０】
本発明に係る普通型コンバインの更なる特徴構成は、前記テンション回転体用付勢機構は、前記フィーダケースの外側に配置されている、ことにある。
【００１１】
本特徴構成によると、テンション回転体用付勢機構がフィーダケースの外側に露出している。これにより、フィーダケース内の作物がテンション回転体用付勢機構に絡み付き難い。したがって、作物の絡み付きによるテンション回転体用付勢機構の動作不良を防止することができる。
【００１２】
本発明に係る普通型コンバインの更なる特徴構成は、前記テンション回転体用付勢機構は、前記フィーダケースの右側及び左側の両方にそれぞれ備えられている、ことにある。
【００１３】
本特徴構成によると、テンション回転体用付勢機構がテンション回転体に付勢力を左右のバランス良く付与する。これにより、テンション回転体がチェーンに緊張力を確実に付与する。したがって、入口側回転体の移動によるチェーンの張り具合の低下を防止することができる。
【００１４】
本発明に係る普通型コンバインの更なる特徴構成は、前記テンション回転体に付着した付着物を除去するスクレーパーを備える、ことにある。
【００１５】
本特徴構成によると、テンション回転体に作物等が付着しても、付着物がスクレーパーによって除去される。したがって、付着物によるテンション回転体の動作不良を防止することができる。
【００１６】
本発明に係る普通型コンバインの更なる特徴構成は、前記テンション回転体用付勢機構は、一端部に前記テンション回転体を回転自在に支持するとともに、他端部が前記フィーダケースに揺動可能に支持されるアーム部材と、前記アーム部材を前記天板側方向に揺動するように付勢する圧縮バネと、前記アーム部材について所定位置を越えての前記天板側方向への揺動を制限するロッド部材と、を備える、ことにある。
【００１７】
本特徴構成によると、テンション回転体用付勢機構が、主にアーム部材、圧縮バネ及びロッド部材で構成される。したがって、テンション回転体用付勢機構について構造の簡素化を図ることができる。
【００１８】
本発明に係る普通型コンバインの更なる特徴構成は、前記アーム部材の揺動軸は、側面視において、前記チェーンの内周部内に配置されている、ことにある。
【００１９】
本特徴構成によると、アーム部材の揺動軸がチェーンの外周部に配置されていない。これにより、チェーンの外周部を搬送される作物が、アーム部材の揺動軸に絡み付き難い。したがって、作物の絡み付きによるアーム部材の動作不良を防止することができる。
【００２０】
本発明に係る普通型コンバインの更なる特徴構成は、前記アーム部材の揺動軸は、前記テンション回転体の回転軸よりも前記フィーダケースの作物出口側に配置されている、ことにある。
【００２１】
本特徴構成によると、アーム部材が、テンション回転体の回転軸側からフィーダケースの作物出口側方向に延出する。つまり、アーム部材が、テンション回転体の回転軸側からフィーダケースの作物入口側方向に延出しない。このため、フィーダケースの作物入口側にある入口側回転体及び入口側回転体用付勢機構と、アーム部材が干渉することがない。したがって、入口側回転体及び入口側回転体用付勢機構との干渉によるアーム部材の動作不良を防止することができる。
【００２２】
本発明に係る普通型コンバインの更なる特徴構成は、前記アーム部材は、前記フィーダケースの内側に配置されている、ことにある。
【００２３】
本特徴構成によると、アーム部材がフィーダケースの外側にはみ出ない。したがって、テンション回転体用付勢機構をコンパクトに配置することができる。
【００２４】
本発明に係る普通型コンバインの更なる特徴構成は、前記テンション回転体に付着した付着物を除去するスクレーパーを備え、前記スクレーパーは、前記アーム部材に取り付けられている、ことにある。
【００２５】
本特徴構成によると、スクレーパーを取り付ける部材として、アーム部材を利用する。これにより、スクレーパーを取り付ける専用の部材を設けなくて済む。したがって、コストを低減することができる。
【００２６】
本発明に係る普通型コンバインの更なる特徴構成は、前記テンション回転体は、前記フィーダケースの作物入口側に配置されている、ことにある。
【００２７】
本特徴構成によると、テンション回転体が入口側回転体の近傍に配置される。これにより、チェーンにおける張り具合の変化が大きい入口側回転体近傍の部分に対して、テンション回転体が緊張力を確実に付与する。したがって、入口側回転体の移動によるチェーンの張り具合の低下を防止することができる。
【００２８】
本発明に係る普通型コンバインの更なる特徴構成は、側面視において、前記天板における中途部には、前記底板とは反対側方向に突起する折曲部が形成されている、ことにある。
【００２９】
本特徴構成によると、折曲部を形成することにより、フィーダケースについて形状の最適化を図ることができる。例えば、フィーダケースの作物入口側が不必要に広くなることがない。
【００３０】
本発明に係る普通型コンバインの更なる特徴構成は、前記テンション回転体は、前記折曲部よりも前記フィーダケースの作物入口側に配置されている、ことにある。
【００３１】
本特徴構成によると、テンション回転体が入口側回転体の近傍に配置される。これにより、チェーンにおける張り具合の変化が大きい入口側回転体近傍の部分に対して、テンション回転体が緊張力を確実に付与する。したがって、入口側回転体の移動によるチェーンの張り具合の低下を防止することができる。
【００３２】
本発明に係る普通型コンバインの更なる特徴構成は、前記テンション回転体用付勢機構は、前記テンション回転体を前記天板側方向に付勢する、ことにある。
【００３３】
本特徴構成によると、テンション回転体がテンション回転体用付勢機構によってチェーンに近接する方向に付勢される。これにより、テンション回転体がチェーンに緊張力を確実に付与する。したがって、入口側回転体の移動によるチェーンの張り具合の低下を防止することができる。
【００３４】
本発明に係る普通型コンバインの更なる特徴構成は、側面視において、前記天板における中途部には、前記底板とは反対側方向に突起する折曲部が形成され、前記天板は、前記底板と平行な平行部と、前記フィーダケースの作物出口側に近いほど前記底板との間隔が小さくなるように、前記底板に対して傾斜する傾斜部と、を有し、前記フィーダの搬送方向において前記折曲部を挟んで、前記フィーダケースの作物入口側に前記平行部が配置され、前記フィーダケースの作物出口側に前記傾斜部が配置され、前記テンション回転体は、側面視において、前記平行部と前記底板とが成す平行区間に配置されている、ことにある。
【００３５】
本特徴構成によると、フィーダケースの作物入口側に平行部が配置されている。これにより、フィーダケースの作物入口側に近いほど、天板と底板との間隔が大きくなって、フィーダケースの作物入口側が不必要に広くなり過ぎることがない。したがって、フィーダケースの軽量化を図ることができる。また、フィーダケースは、形状の単純な平行部を有する。したがって、フィーダケースを容易に製作することができる。さらに、チェーンの天板側搬送経路と天板との間隔が狭くなる区間（傾斜部と底板とが成す傾斜区間）を避けて、テンション回転体が配置されている。これにより、テンション回転体が移動しても、テンション回転体がフィーダケースの天板へ衝突し難い。したがって、衝突によるテンション回転体及びフィーダケースの損傷を防止することができる。
【００３６】
本発明に係る普通型コンバインの更なる特徴構成は、前記入口側回転体用付勢機構は、前記フィーダケースの外側に配置されている、ことにある。
【００３７】
本特徴構成によると、入口側回転体用付勢機構がフィーダケースの外側に露出している。これにより、フィーダケース内の作物が入口側回転体用付勢機構に絡み付き難い。したがって、作物の絡み付きによる入口側回転体用付勢機構の動作不良を防止することができる。
【００３８】
本発明に係る普通型コンバインの更なる特徴構成は、前記入口側回転体用付勢機構は、前記入口側回転体を前記底板側方向に付勢する、ことにある。
【００３９】
本特徴構成によると、入口側回転体が入口側回転体用付勢機構によって退避方向とは反対方向に付勢される。これにより、退避した入口側回転体が元の位置に素早く復帰する。したがって、入口側回転体の移動によるチェーンの張り具合の低下を防止することができる。
【図面の簡単な説明】
【００４０】
【図１】普通型コンバインを示す側面図。
【図２】フィーダを示す側面図。
【図３】フィーダを示す平面断面図。
【図４】フィーダを示す側面断面図。
【図５】フィーダの前部を示す側面図。
【図６】フィーダの前部を示す平面断面図。
【発明を実施するための形態】
【００４１】
以下、本発明を実施するための形態について図面に基づき説明する。
【００４２】
先ず、普通型コンバインの全体構成について、図１により説明する。
【００４３】
図１に示すように、普通型コンバインは、機体を走行させる右及び左の前輪１Ｆ並びに右及び左の後輪１Ｒを有する走行部１を備えている。走行部１の上部には、機体フレーム２が備えられている。機体フレーム２の前方には、穀稈を刈り取る刈取部３が備えられている。刈取部３の後側には、刈り取った穀稈を搬送するフィーダ４が備えられている。また、機体フレーム２上には、脱穀処理物を選別する選別部５が備えられている。選別部５の右方には、動力源となるエンジンＥが備えられている。選別部５の上側には、穀稈を脱穀する脱穀部６が備えられている。脱穀部６の上方には、選別後の穀粒を貯留するグレンタンク７が備えられている。脱穀部６の後側には、排藁等の脱穀処理物を切断して機外へ排出する切断部８が備えられている。脱穀部６の前方には、オペレータが搭乗するキャビン９が備えられている。キャビン９には、オペレータが着座する運転席１０、ステアリングハンドル９ａ及び図示しない操作ペダルや操作レバー等の操作具類が備えられている。
【００４４】
次に、フィーダ４について、図２から図６により説明する。
【００４５】
図２から図６に示すように、フィーダ４は、フィーダケース１１と、入口側回転体１２と、出口側回転体１３と、右及び左のチェーン１４と、を備えている。
【００４６】
フィーダケース１１の前端部には、作物入口１１ａが形成されている。そして、フィーダケース１１の後端部には、作物出口１１ｂが形成されている。フィーダケース１１は、天板１５と、底板１６と、右及び左の側板１７と、を有している。底板１６は、側面視において略直線状に形成されている。
【００４７】
天板１５は、平行部１５ａと、傾斜部１５ｂと、を有している。側面視において、天板１５における中途部には、底板１６とは反対側方向に突起する折曲部１５ｃが形成されている。フィーダ４の搬送方向において折曲部１５ｃを挟んで、フィーダケース１１の作物入口１１ａ側（前端側）に平行部１５ａが配置されている。そして、フィーダケース１１の作物出口１１ｂ側（後端側）に傾斜部１５ｂが配置されている。
【００４８】
平行部１５ａは、底板１６と平行なものである。傾斜部１５ｂは、底板１６に対して傾斜する。具体的には、傾斜部１５ｂは、フィーダケース１１の作物出口１１ｂ側（後端側）に近いほど底板１６との間隔が小さくなるように、底板１６に対して傾斜する。また、傾斜部１５ｂの作物出口１１ｂ側（後端側）には、窓１５ｄが形成されている。窓１５ｄは、図示しない蓋で開閉可能に覆われている。
【００４９】
入口側回転体１２は、フィーダケース１１内の作物入口１１ａ側（前端側）に設けられている。入口側回転体１２は、底板１６に対して天板１５側方向に退避可能に支持されている。入口側回転体１２は、詳しくは後述する入口側回転体用付勢機構２７によって底板１６側方向に付勢されている。入口側回転体１２は、入口側ドラム１８と、入口側回転軸１９と、を備えている。
【００５０】
入口側回転軸１９は、機体左右方向に設けられている。入口側回転軸１９の右端部は、右の開口部１７ａから右方に突出している。右の開口部１７ａは、フィーダケース１１の右側板１７に形成されている。また、入口側回転軸１９の左端部は、左の開口部１７ａから左方に突出している。左の開口部１７ａは、フィーダケース１１の左側板１７に形成されている。入口側回転軸１９は、開口部１７ａ内で移動可能に構成されている。
【００５１】
出口側回転体１３は、フィーダケース１１内の作物出口１１ｂ側（後端側）に設けられている。出口側回転体１３は、出口側ドラム２０と、出口側回転軸２１と、右及び左のスプロケット２２と、を備えている。
【００５２】
出口側回転軸２１は、機体左右方向に設けられている。出口側回転軸２１は、右及び左のボス部１７ｂによって回転自在に支持されている。右のボス部１７ｂは、フィーダケース１１の右側板１７に設けられている。そして、左のボス部１７ｂは、フィーダケース１１の左側板１７に設けられている。また、出口側回転軸２１の右端部は、フィーダケース１１の右側板１７から右方に突出している。そして、出口側回転軸２１の左端部は、フィーダケース１１の左側板１７から左方に突出している。出口側回転軸２１の左端部には、入力プーリ２３が設けられている。入力プーリ２３は、エンジンＥ（図１参照）からの動力が入力される。入力プーリ２３には、動力伝達用の図示しないベルトが巻き付けられている。
【００５３】
右のスプロケット２２は、出口側ドラム２０の右端部に設けられている。そして、左のスプロケット２２は、出口側ドラム２０の左端部に設けられている。スプロケット２２は、出口側回転軸２１に一体回転可能に設けられている。スプロケット２２には、チェーン１４が巻き付けられている。
【００５４】
ここで、フィーダケース１１の作物出口１１ｂ側（後端側）には、補強用の補強軸２４が設けられている。補強軸２４は、機体左右方向に設けられている。補強軸２４は、フィーダケース１１の右側板１７及び左側板１７に亘って設けられている。補強軸２４は、ボス部１７ｂよりも作物入口１１ａ側（前端側）に配置されている。
【００５５】
そして、ボス部１７ｂと補強軸２４とは、補強用の補強板２５で連結されている。具体的には、右及び左のボス部１７ｂの上面と補強軸２４の上面とが、二枚の補強板２５で連結されている。そして、右及び左のボス部１７ｂの下面と補強軸２４の下面とが、二枚の補強板２５で連結されている。つまり、右及び左のボス部１７ｂと補強軸２４とは、四枚の補強板２５で連結されている。補強板２５は、ボス部１７ｂ及び補強軸２４と溶接で固定されている。こうして、ボス部１７ｂ周辺の応力を分散（ボス部１７ｂへの負荷を軽減）させて、ボス部１７ｂの強度改善を図っている。
【００５６】
チェーン１４は、入口側ドラム１８及び出口側ドラム２０（スプロケット２２）に巻き付けられている。チェーン１４は、詳しくは後述するテンション回転体３５によって緊張力が付与されている。チェーン１４には、作物を引っ掛ける多数のスラット２６が設けられている。なお、以下の説明では、図４に示すように、チェーン１４の搬送経路のうち、入口側回転体１２（厳密には入口側回転軸１９の回転中心）と出口側回転体１３（厳密には出口側回転軸２１の回転中心）とを結ぶ直線Ｌに対して、天板１５側の搬送経路のことを「天板側搬送経路」とし、底板１６側の搬送経路のことを「底板側搬送経路」として説明する。
【００５７】
入口側回転体用付勢機構２７は、フィーダケース１１の右側及び左側の両方にそれぞれ備えられている。なお、右及び左の入口側回転体用付勢機構２７は、左右対称な構成である。したがって、以下では、右の入口側回転体用付勢機構２７について主に説明し、左の入口側回転体用付勢機構２７については、必要に応じて説明する。
【００５８】
入口側回転体用付勢機構２７は、入口側回転体１２を底板１６側方向に付勢する。入口側回転体用付勢機構２７は、入口側アーム部材２８と、入口側圧縮バネ２９と、入口側ロッド部材３０と、を備えている。このうち、入口側圧縮バネ２９及び入口側ロッド部材３０は、フィーダケース１１の外側に配置されている。
【００５９】
入口側アーム部材２８は、フィーダケース１１の内側に配置されている。入口側アーム部材２８の一端部（前端部）には、ボス部２８ａが設けられている。入口側ドラム１８は、ボス部２８ａに回転自在に支持されている。また、入口側アーム部材２８の他端部（後端部）は、揺動軸２８ｂを介して、フィーダケース１１の右側板１７に揺動可能に支持されている。揺動軸２８ｂは、長孔１７ｃに差し込まれている。長孔１７ｃは、フィーダケース１１の右側板１７に形成されている。長孔１７ｃは、機体前後方向に形成されている。揺動軸２８ｂは、長孔１７ｃ内で移動可能に構成されている。また、入口側アーム部材２８には、スクレーパー３１が取り付けられている。スクレーパー３１は、入口側ドラム１８に付着した付着物を除去する。
【００６０】
入口側圧縮バネ２９は、入口側アーム部材２８を底板１６側方向に揺動するように付勢する。入口側圧縮バネ２９の下端部は、下バネ受け３２に係止されている。下バネ受け３２は、入口側回転軸１９の右端部に設けられている。また、入口側圧縮バネ２９の上端部は、上バネ受け３３に係止されている。
【００６１】
入口側ロッド部材３０は、入口側アーム部材２８について所定位置を越えての底板１６側方向への揺動を制限する。入口側ロッド部材３０には、入口側圧縮バネ２９が外嵌されている。入口側ロッド部材３０の下端部は、下バネ受け３２に連結さている。また、入口側ロッド部材３０の上端部は、係止部３４から上方に突出している。係止部３４は、フィーダケース１１の右側板１７に設けられている。また、入口側ロッド部材３０の上端部には、ダブルナット３０ａが設けられている。ダブルナット３０ａは、係止部３４に係止可能なものである。ダブルナット３０ａが係止部３４に係止することで、入口側アーム部材２８について所定位置を越えての底板１６側方向への揺動が制限される。また、係止部３４には、長孔３４ａが形成されている。長孔３４ａには、入口側ロッド部材３０が差し込まれている。長孔３４ａは、機体前後方向に形成されている。入口側ロッド部材３０は、長孔３４ａ内で移動可能に構成されている。
【００６２】
テンション回転体３５は、チェーン１４の天板側搬送経路に対してチェーン１４の内周部に接触し、チェーン１４に緊張力を付与する。テンション回転体３５は、詳しくは後述するテンション回転体用付勢機構３８によって天板１５側方向に付勢されている。テンション回転体３５は、テンションドラム３６と、テンション回転軸３７と、を備えている。
【００６３】
ここで、テンション回転体３５は、フィーダケース１１の作物入口１１ａ側（前端側）に配置されている。具体的には、テンション回転体３５は、折曲部１５ｃよりもフィーダケース１１の作物入口１１ａ側（前端側）に配置されている。換言すると、テンション回転体３５は、側面視において、平行部１５ａと底板１６とが成す平行区間Ｓに配置されている。そして、テンションドラム３６と天板１５との間隔をＤ１とし、チェーン１４の底板側搬送経路と底板１６との間隔をＤ２とすると、間隔Ｄ１は、間隔Ｄ２よりも大きい。
【００６４】
テンション回転軸３７は、機体左右方向に設けられている。テンション回転軸３７の右端部は、右の長孔１７ｄから右方に突出している。右の長孔１７ｄは、フィーダケース１１の右側板１７に形成されている。また、テンション回転軸３７の左端部は、左の長孔１７ｄから左方に突出している。左の長孔１７ｄは、フィーダケース１１の左側板１７に形成されている。長孔１７ｄは、上下方向に形成されている。テンション回転軸３７は、長孔１７ｄ内で移動可能に構成されている。
【００６５】
テンション回転体用付勢機構３８は、フィーダケース１１の右側及び左側の両方にそれぞれ備えられている。なお、右及び左のテンション回転体用付勢機構３８は、左右対称な構成である。したがって、以下では、右のテンション回転体用付勢機構３８について主に説明し、左のテンション回転体用付勢機構３８については、必要に応じて説明する。
【００６６】
テンション回転体用付勢機構３８は、テンション回転体３５を天板１５側方向に付勢する。テンション回転体用付勢機構３８は、「アーム部材」としてのテンションアーム部材３９と、「圧縮バネ」としてのテンション圧縮バネ４０と、「ロッド部材」としてのテンションロッド部材４１と、を備えている。このうち、テンション圧縮バネ４０及びテンションロッド部材４１は、フィーダケース１１の外側に配置されている。
【００６７】
テンションアーム部材３９は、フィーダケース１１の内側に配置されている。また、テンションアーム部材３９の一端部（前端部）には、ボス部３９ａが設けられている。テンションドラム３６は、ボス部３９ａに回転自在に支持されている。また、テンションアーム部材３９の他端部（後端部）は、揺動軸３９ｂを介して、フィーダケース１１の右側板１７に揺動可能に支持されている。テンションアーム部材３９の揺動軸３９ｂは、側面視において、チェーン１４の内周部内に配置されている。そして、テンションアーム部材３９の揺動軸３９ｂは、テンション回転軸３７よりもフィーダケース１１の作物出口１１ｂ側（後端側）に配置されている。換言すると、テンション回転軸３７は、テンションアーム部材３９の揺動軸３９ｂよりもフィーダケース１１の作物入口１１ａ側（前端側）に配置されている。また、テンションアーム部材３９には、スクレーパー４２が取り付けられている。スクレーパー４２は、テンションドラム３６に付着した付着物を除去する。
【００６８】
テンション圧縮バネ４０は、テンションアーム部材３９を天板１５側方向に揺動するように付勢する。テンション圧縮バネ４０の上端部は、上バネ受け４３に係止されている。上バネ受け４３は、テンション回転軸３７の右端部に設けられている。また、テンション圧縮バネ４０の下端部は、下バネ受け４４に係止されている。
【００６９】
テンションロッド部材４１は、テンションアーム部材３９について所定位置を越えての天板１５側方向への揺動を制限する。テンションロッド部材４１には、テンション圧縮バネ４０が外嵌されている。テンションロッド部材４１の上端部は、上バネ受け４３に連結されている。また、テンションロッド部材４１の下端部は、係止部４５から下方に突出している。係止部４５は、フィーダケース１１の右側板１７に設けられている。また、テンションロッド部材４１の下端部には、ダブルナット４１ａが設けられている。ダブルナット４１ａは、係止部４５に係止可能なものである。ダブルナット４１ａが係止部４５に係止することで、テンションアーム部材３９について所定位置を越えての天板１５側方向への揺動が制限される。
【００７０】
以上のような構成により、本実施形態の係る普通型コンバインは、入口側回転体１２が入口側回転体用付勢機構２７によって底板１６側方向に付勢されている。このため、入口側回転体１２が退避した位置から元の位置に素早く復帰する。また、テンション回転体３５がテンション回転体用付勢機構３８によって天板１５側方向に付勢されている。このため、テンション回転体３５がチェーン１４に緊張力を確実に付与する。したがって、入口側回転体１２の移動によるチェーン１４の張り具合の低下を防止することができる。
【００７１】
例えば、フィーダ４の作物入口１１ａ側に大量の作物が集中すると、入口側回転体１２が、入口側回転体用付勢機構２７の付勢力に抗して、底板１６に対して天板１５側方向に退避する。この場合、入口側回転体１２の退避に伴ってチェーン１４の張り具合の低下が懸念されるが、このようなことがない。
【産業上の利用可能性】
【００７２】
本発明は、刈り取った作物を搬送するフィーダを備える普通型コンバインに利用可能である。
【符号の説明】
【００７３】
４  フィーダ
１１  フィーダケース
１１ａ  作物入口
１１ｂ  作物出口
１２  入口側回転体
１３  出口側回転体
１４  チェーン
１５  天板
１５ａ  平行部
１５ｂ  傾斜部
１５ｃ  折曲部
１６  底板
２７  入口側回転体用付勢機構
３５  テンション回転体
３７  テンション回転軸（回転軸）
３８  テンション回転体用付勢機構
３９  テンションアーム部材（アーム部材）
３９ｂ  揺動軸
４０  テンション圧縮バネ（圧縮バネ）
４１  テンションロッド部材（ロッド部材）
４２  スクレーパー
Ｄ１  間隔
Ｄ２  間隔
Ｓ  平行区間
【図１】
2013183681.tif 000003
【図２】
2013183681.tif 000004
【図３】
2013183681.tif 000005
【図４】
2013183681.tif 000006
【図５】
2013183681.tif 000007
【図６】
2013183681.tif 000008